(57)【要約】  【課題】  印刷記録媒体がプリンタ内でつまったり，発色が薄い等の印刷エラー，さらには，複数の印刷記録媒体がずれて重なったままプリンタに送られることで生じる印刷エラー等が発生した場合でも，印刷物として正しく用をなすものだけを印刷枚数としてカウントし，正確な印刷枚数を管理する方法を提供する。  【解決手段】  印刷エラーの有無に応じて，印刷物を使用可能とするコードを発行する。即ち，固有識別子を特定可能な情報を含む印刷データを発行し，印刷データを印刷した印刷物を使用可能とするコードを，印刷データを印刷した結果である印刷状態に応じて発行する。更に，所定時間が経過したときは印刷状態にかかわらず上記コードを発行する。更に，印刷状態に応じて新たな固有識別子を特定可能な情報を含む印刷データを発行する。更に，印刷データの固有識別子および上記コードを入力し，印刷データを印刷した印刷物の有効性を出力する。  【選択図】  図４
2008027257.tif 000002
【特許請求の範囲】
【請求項１】
固有識別子を特定可能な情報を含む印刷データを発行し，該印刷データを印刷した印刷物を使用可能とするコードを，該印刷データを印刷した結果である印刷状態に応じて発行する
ことを特徴とする印刷物交付方法。
【請求項２】
印刷データの発行を申請する申請装置と，該印刷データを発行する発行装置を含み，
前記発行装置は，前記申請装置の申請に応じて，固有識別子を特定可能な情報を含む印刷データを発行し，
前記申請装置は，発行された該印刷データを印刷した結果である印刷状態を，前記発行装置に送信し，
前記発行装置は，前記申請装置から受信した前記印刷状態に応じて，該印刷データを印刷した印刷物を使用可能とするコードを前記固有識別子と対応付けて発行
することを特徴とする印刷物交付システム。
【請求項３】
請求項２に記載の印刷物交付システムにおいて，
さらに，該印刷データを印刷した印刷物の有効性を検証する検証装置を備え，
前記検証装置は，
前記印刷物から，発行された前記コードと前記固有識別子を取得し，
前記固有識別子と前記コードとの対応付けに基づいて前記印刷データを印刷した印刷物の有効性を検証する
ことを特徴とする印刷物交付システム。
【請求項４】
印刷データの発行を申請する申請装置と，該印刷データを発行する発行装置を含み，
前記発行装置は，前記申請装置の申請に応じて，固有識別子を特定可能な情報を含む印刷データを発行し，
前記申請装置は，発行された該印刷データを印刷した結果である印刷状態を，前記発行装置に送信し，
前記発行装置は，前記申請装置から受信した前記印刷状態を，前記固有識別子に対応付けて記録する
ことを特徴とする印刷物交付システム。
【請求項５】
請求項４に記載の印刷物交付システムにおいて，
さらに，該印刷データを印刷した印刷物の有効性を検証する検証装置を備え，
前記検証装置は，
前記印刷物から前記固有識別子を取得して前記発行装置に送信し，
前記発行装置から前記固有識別子に対応する前記印刷状態を受信し，
受信した前記印刷状態に基づき，該印刷データを印刷した印刷物の有効性を検証する
ことを特徴とする印刷物交付システム。
【請求項６】
印刷データの発行を申請する申請装置と，該印刷データを発行する発行装置と，印刷物に印刷された固有識別子を特定可能な情報であるドットパターンを読み取ることにより，前記固有識別子を特定し，前記ドットパターンが印刷された印刷物への書き込み内容を読み取りデジタル化する電子ペンと，を含み，
前記発行装置は，前記申請装置の申請に応じて，前記ドットパターンの印刷情報を含む印刷データを発行し，
前記申請装置は，発行された前記印刷データを印刷した結果である印刷状態を，前記発行装置に送信し，
前記発行装置は，前記申請装置から受信した前記印刷状態に応じて，前記印刷データを印刷した印刷物を使用可能とするコードとして，前記ドットパターンを特定する前記固有識別子を発行し，
前記電子ペンは，前記固有識別子が書き込まれた印刷物から，前記ドットパターンと前記固有識別子を読み取り，
読み取った前記ドットパターンと前記固有識別子の対応付けに基づいて，前記印刷データを印刷した印刷物の有効性を検証する
ことを特徴とする印刷物交付システム。
【請求項７】
請求項２ないし６いずれか一に記載の印刷物交付システムにおいて，
前記発行装置は，所定時間が経過したときは前記印刷状態にかかわらず前記コードを発行する
ことを特徴とする印刷物交付システム。
【請求項８】
請求項２ないし６いずれか一に記載の印刷物交付システムにおいて，
前記発行装置は，前記印刷状態に応じて新たな固有識別子を含む印刷データを発行する
ことを特徴とする印刷物交付システム。
【発明の詳細な説明】
【技術分野】
【０００１】
本発明は，印刷物を交付する技術に係り，特に，オンラインで交付された電子的な印刷データを利用者のプリンタで指定枚数分だけ印刷可能とする技術に関する。
【背景技術】
【０００２】
従来の印刷物交付技術は，電子的な印刷データの印刷可能枚数を複製も考慮した上で制御可能としている（例えば，特許文献１参照）。
【０００３】
【特許文献１】特開２００１−２１８０３０号公報
【発明の開示】
【発明が解決しようとする課題】
【０００４】
上記背景技術においては，プリンタ内での印刷記録媒体詰まり，発色が薄い等の印刷エラー，さらには，複数の印刷記録媒体がずれて重なったままプリンタに送られることで生じる印刷エラー等を検出できず，正常に印刷を行えなかったにもかかわらず正常に印刷されたと誤認されることがあり，正確な印刷枚数の管理ができなかった。
【０００５】
本発明の目的は，様々な印刷枚数の正確な管理を妨げていた印刷エラー等が発生した場合でも，印刷物として正しく用をなすものだけを印刷枚数としてカウントし，正確な印刷枚数を管理する方法を提供することである。
【課題を解決するための手段】
【０００６】
本発明は，印刷エラーの有無に応じて，印刷物を使用可能とするコードを発行するステップを含む印刷物交付方法またはシステムを提供する。
【０００７】
具体的には，固有識別子を特定可能な情報を含む印刷データを発行し，該印刷データを印刷した印刷物を使用可能とするコードを，該印刷データを印刷した結果である印刷状態に応じて発行することを特徴とする。さらに，所定時間が経過したときは上記印刷状態にかかわらず上記コードを発行してもよい。さらに，上記印刷状態に応じて新たな固有識別子を特定可能な情報を含む印刷データを発行してもよい。さらに，上記印刷データの固有識別子および上記コードを入力し，該印刷データを印刷した印刷物の有効性を出力してもよい。
【０００８】
また，本発明による印刷物交付方法の他の態様は，固有識別子を特定可能な上記情報としてドットパターンが印刷された印刷物と，該ドットパターンを読み取って該印刷物への書き込み内容をデジタル化する電子ペンとを利用し，該ドットパターンを含む印刷データを印刷した印刷物から，上記ドットパターンと，書き込まれた上記コードを該電子ペンで読み取り，該印刷物の有効性を検証することを特徴とする。
【０００９】
また，本発明の他の態様は，印刷物交付システムであって，印刷データの発行を申請する申請装置と，該印刷データを発行する発行装置を含み，上記発行装置は，上記申請装置の申請に応じて，固有識別子を特定可能な情報を含む印刷データを発行し，上記申請装置は，発行された該印刷データを印刷した結果である印刷状態を，上記発行装置に送信し，上記発行装置は，上記申請装置から受信した上記印刷状態に応じて，該印刷データを印刷した印刷物を使用可能とするコードを上記固有識別子と対応付けて発行することを特徴とする。
【００１０】
さらに，該印刷データを印刷した印刷物の有効性を検証する検証装置を備え，上記検証装置は，上記印刷物から，発行された上記コードと上記固有識別子を取得し，上記固有識別子と上記コードとの対応付けに基づいて上記印刷データを印刷した印刷物の有効性を検証することを特徴とする。
【００１１】
また，本発明による印刷物交付システムの他の態様によれば，印刷データの発行を申請する申請装置と，該印刷データを発行する発行装置を含み，上記発行装置は，上記申請装置の申請に応じて，固有識別子を特定可能な情報を含む印刷データを発行し，上記申請装置は，発行された該印刷データを印刷した結果である印刷状態を，上記発行装置に送信し，上記発行装置は，上記申請装置から受信した上記印刷状態を，上記固有識別子に対応付けて記録することを特徴とする。
【００１２】
さらに，該印刷データを印刷した印刷物の有効性を検証する検証装置を備え，上記検証装置は，上記印刷物から上記固有識別子を取得して上記発行装置に送信し，上記発行装置から上記固有識別子に対応する上記印刷状態を受信し，受信した上記印刷状態に基づき，該印刷データを印刷した印刷物の有効性を検証することを特徴とする。
【００１３】
また，本発明による印刷物交付システムの他の態様によれば，印刷データの発行を申請する申請装置と，該印刷データを発行する発行装置と，印刷物に印刷された固有識別子を特定可能な情報であるドットパターンを読み取ることにより，上記固有識別子を特定し，上記ドットパターンが印刷された印刷物への書き込み内容を読み取りデジタル化する電子ペンと，を含み，上記発行装置は，上記申請装置の申請に応じて，上記ドットパターンの印刷情報を含む印刷データを発行し，上記申請装置は，発行された上記印刷データを印刷した結果である印刷状態を，上記発行装置に送信し，上記発行装置は，上記申請装置から受信した上記印刷状態に応じて，上記印刷データを印刷した印刷物を使用可能とするコードとして，上記ドットパターンを特定する上記固有識別子を発行し，上記電子ペンは，上記固有識別子が書き込まれた印刷物から，上記ドットパターンと上記固有識別子を読み取り，読み取った上記ドットパターンと上記固有識別子の対応付けに基づいて，上記印刷データを印刷した印刷物の有効性を検証することを特徴とする。
【００１４】
さらに，上記発行装置は，所定時間が経過したときは印刷状態にかかわらず上記コードを発行してもよいし，印刷状態に応じて新たな固有識別子を含む印刷データを発行してもよい。
【発明の効果】
【００１５】
本発明によれば，従来，印刷枚数の正確な管理を妨げていた印刷エラー等が発生した場合でも，正確な印刷枚数を管理することができる。
【発明を実施するための最良の形態】
【００１６】
以下，本発明の２つの実施の形態を図面を用いて詳細に説明する。いずれの実施形態も，紙に印刷すると価値のある電子データを発行する者(または装置)と，その電子データを紙に印刷する者(装置)が異なる例であり，電子データを発行する側には申請枚数分の発行手数料を確実に徴収することを可能とし，電子データを紙に印刷する側には申請枚数分の価値のある紙を確実に取得し，かつ，正しく印刷できなかった場合の手数料を払わないことを可能とする。
【００１７】
＜実施形態１＞
本実施形態は，各種証明書を電子的に交付し，証明書利用時には紙に印刷して利用する，電子交付システムである。図１に全体システム構成を示す。証明書発行装置１１１と証明書申請装置１２１がネットワーク１０１を介して接続されており，各装置間でのデータ送受信が可能である。証明書検証装置１３１はネットワーク１０１に接続されていない。図１においては，証明書申請装置１２１，証明書検証装置１３１はそれぞれ１つしか図示していないが，それぞれ複数あってもかまわない。
【００１８】
証明書申請装置１２１は，証明書の申請や印刷，証明書発行装置１１１とデータの送受信等を行うコンピュータ装置である。証明書申請装置１２１は，キーボード，マウス等の入力装置１２２，ディスプレイ等の表示装置１２３，プリンタ１２４を有する。また，証明書申請装置１２１は，ＣＰＵ，メモリ，通信装置，記憶装置およびそれらの間のデータ通信等を制御する制御装置等を有し，記憶装置内のプログラムがＣＰＵに順次読み込まれて実行されることによりそれぞれの処理部としての役割を果たす２つの処理部が機能する。すなわち，証明書の発行を要求する証明書申請データを作成して証明書発行装置１１１に送信する証明書申請部１２５，および交付された電子的な証明書データを印刷し，その印刷した紙を証明書として有効にするために必要な記入コードを表示する証明書印刷部１２６が動作する。
【００１９】
また，上述の各々の処理部を集積回路などのハードウェアとして構成することも可能である。
【００２０】
証明書発行装置１１１は，証明書の発行，証明書申請装置１２１とデータの送受信等を行うコンピュータ装置である。証明書発行装置１１１は，ＣＰＵ，メモリ，通信装置，記憶装置およびそれらの間のデータ通信等を制御する制御装置等を有し，記憶装置内のプログラムがＣＰＵに順次読み込まれて実行されることにより処理部としての役割を果たす１つの処理部が機能する。すなわち，証明書データおよび記入コードを発行する証明書発行部１１４が動作する。また，記憶装置は，記入コードテーブル１１５，および証明書発行履歴テーブル１１６を格納している。
【００２１】
証明書検証装置１３１は，証明書の有効性を検証するためのコンピュータ装置である。証明書検証装置１３１は，キーボード，マウス，スキャナ等の入力装置１３２，ディスプレイ等の出力装置１３３を有する。また，証明書検証装置１３１は，ＣＰＵ，メモリ，通信装置，記憶装置およびそれらの間のデータ通信等を制御する制御装置等を有し，記憶装置内のプログラムがＣＰＵに順次読み込まれて実行されることにより処理部としての役割を果たす１つの処理部が機能する。すなわち，証明書の有効性を検証するための情報を出力する証明書検証部１３４が動作する。また，記憶装置は，記入コードテーブル１３５を格納している。
【００２２】
図２は，記入コードテーブル１１５のデータ構成を示す図である。記入コードテーブル１１５は，証明書と記入コードを対応づけて管理するためのテーブルであり，発行ＩＤと記入コードを備える。発行ＩＤは，証明書発行装置１１１が交付する電子的な証明書データを管理するための固有識別子であり，証明書１枚ごとに異なる。記入コードは，前記証明書データを証明書申請装置１２１が印刷した紙を，証明書として有効にするために必要なコードである。ここでは，発行ＩＤと記入コードの値が図２に示すとおりあらかじめ設定されているものとする。
【００２３】
図３は，証明書発行履歴テーブル１１６のデータ構成を示す図である。証明書発行履歴テーブル１１６は，証明書申請装置１２１を用いて証明書の申請を行う申請者と，その申請者に対して証明書発行装置１１１が交付した電子的な証明書データの発行ＩＤと，その証明書データの証明書申請装置１２１における印刷結果を，対応づけて管理するためのテーブルであり，申請者ＩＤと発行ＩＤと印刷結果を備える。申請者ＩＤは，申請者の固有識別子である。印刷結果は，紙詰まりやインクが薄い等，あるいは，複数の紙がずれて重なったまま紙送りされることで生じる印刷エラーが発生せずに，正しく印刷できたときは「有効」，前記印刷エラーが発生したときは「無効」の値をとる。
【００２４】
記入コードテーブル１３５は，記入コードテーブル１１５と同じデータ構成および値である。
【００２５】
以後，証明書発行時の処理の流れを，図４に示す証明書申請部１２５，証明書印刷部１２６，証明書発行部１１４の動作を参照しつつ，説明する。
【００２６】
まず，申請者は，証明書申請装置１２１に対して，入力装置１２２を用いて，申請先の証明書発行装置，申請者ＩＤ，証明書種別，必要枚数を入力する。ここでは，証明書発行装置１１１に対して，申請者ＩＤが「１０１０」の申請者が，申請者の住所および氏名が記載された身分証明書を２枚申請するものとする。証明書申請部１２５は，前記申請者ＩＤ，前記証明書種別，前記必要枚数，および証明書申請装置１２１の識別子からなる証明書申請データを作成し（ステップ４０１），申請者が指定した証明書発行装置１１１の証明書発行部１１４に送信する（ステップ４０２）。
【００２７】
証明書発行部１１４は，この証明書申請データを受信する（ステップ４０３）と，受信した申請者ＩＤ，証明書種別，必要枚数を基に，また，記入コードテーブル１１５の発行ＩＤのうち未使用のものを使って，電子的な証明書データを作成する（ステップ４０４）。発行ＩＤが未使用か否かに関しては，例えば，証明書発行履歴テーブル１１６に存在しない発行ＩＤは未使用と判断できる。ここでは，図示しない装置にあらかじめ登録されていた申請者の住所および氏名を参照して，発行ＩＤが「１２３」と「１２４」の２枚の身分証明書を作成する。
【００２８】
作成した身分証明書の１枚を図５に示す。この身分証明書５０１には，発行ＩＤとともに，記入コード領域５０２および偽造防止画像５０３も付けられている。記入コード領域は，記入コードを申請者が記入する領域である。偽造防止画像は，申請者が電子的な証明書データを作成したり，紙の証明書の複写物を作成するといった偽造を防ぐための画像であり，例えば，特開２００３−１３６８２８号公報に記載の技術を用いて作成した画像である。証明書発行部１１４は，作成した証明書データを，受信した証明書申請装置１２１の識別子を基に，申請元の証明書申請装置１２１の証明書印刷部１２６に送信する（ステップ４０５）。
【００２９】
証明書印刷部１２６は，この証明書データを受信する（ステップ４０６）と，受信した証明書データを印刷する（ステップ４０７）。なお，前述の背景技術等を用いることにより，証明書データは１部しか印刷できないようになっている。印刷開始後，図６に示すような印刷結果を確認する画面を表示装置１２３に表示する。
【００３０】
申請者は，印刷物を見て，印刷できたか否かを判断し，すべての証明書が，紙づまりやインクが薄い等，あるいは，複数の紙がずれて重なったまま紙送りされることで生じる印刷エラーが発生せずに，正しく印刷できたときは「はい」のボタン６０１を，１枚でも前記印刷エラーが発生したときは「いいえ」のボタン６０２を選択する。証明書印刷部１２６は，受信した証明書データの送信元の証明書発行部１１４に，選択されたボタンに応じて，印刷結果を送信する（ステップ４０８）。
【００３１】
「はい」のボタン６０１が選択された場合は，印刷結果をすべて有効として送信する。「いいえ」のボタン６０２が選択された場合は，図７に示すような発行ＩＤの入力を促す画面を表示装置１２３に表示し，申請者は，印刷エラーとなった証明書の発行ＩＤを発行ＩＤ入力領域７０１に入力する。証明書印刷部１２６は，この発行ＩＤの証明書の印刷結果を無効として送信する。
【００３２】
ここでは，発行ＩＤが「１２３」の証明書は正しく印刷でき，発行ＩＤが「１２４」の証明書は印刷エラーとなったものとする。なお，発行ＩＤ入力領域７０１に入力する発行ＩＤは，正しく印刷できた証明書の発行ＩＤとしてもよい。この場合は，この発行ＩＤの証明書の印刷結果を有効として送信することになる。また，発行ＩＤが表示装置１２３に表示されなかったり，発行ＩＤの部分が印刷されなかったりして，印刷エラーとなった証明書の発行ＩＤがわからない場合等に，発行ＩＤを入力しなくてもよいように，「いいえ」のボタン６０２が選択された場合でも，図７に示すような発行ＩＤ入力画面を表示しないことにしてもよい。この場合は，印刷結果をすべて無効として送信することになる。また，発行ＩＤごとに１枚１枚の印刷結果を確認するようにしてもよい。さらに，図６に示すような印刷結果確認画面を表示せずに，図７に示すような発行ＩＤ入力画面を表示して，正しく印刷できた，あるいは，印刷エラーとなった証明書の発行ＩＤを入力するようにしてもよい。要は，印刷結果を受け取る証明書発行部１１４が，発行ＩＤごとに有効か無効かを判定できればよい。
【００３３】
証明書発行部１１４は，ステップ４０８で送信された印刷結果を受信する（ステップ４０９）と，受信した印刷結果に基づき，ステップ４０５で送信した証明書データのすべての発行ＩＤに対して「有効」あるいは「無効」を印刷結果として証明書発行履歴テーブル１１６に記録する（ステップ４１０）。このとき，該当する申請者ＩＤも証明書発行履歴テーブル１１６に記録しておく。
【００３４】
なお，ステップ４０９に進むことができるのは，ステップ４０５から所定時間が経過していないときである。証明書発行部１１４は，所定時間が経過しているか否かを判定し（ステップ４１１），経過していなければステップ４０９に進むことができ，経過していれば，ステップ４０５で送信した証明書データのすべての発行ＩＤに対して印刷結果を「有効」として（ステップ４１２），証明書発行履歴テーブル１１６に記録する（ステップ４１０）。この所定時間の長さは任意に設定することができる。
【００３５】
ステップ４１１とステップ４１２は必須ではないが，これによって，申請者が申請するだけして証明書を利用しなかった場合でも，発行者は発行手数料を徴収することができる。なお，所定時間が経過しているか否かを判定するのは証明書印刷部１２６で行ってもよい。この場合は，所定時間を超えた時点で，証明書印刷部１２６は印刷結果をすべて有効として証明書発行部１１４に送信する。
【００３６】
証明書発行部１１４は，ステップ４１０で記録した印刷結果が「有効」か「無効」かを判定し（ステップ４１３），「無効」の場合は，同じ申請者ＩＤ，同じ証明書種別，「無効」の枚数を必要枚数として，ステップ４０４から繰り返す。このとき，「無効」となった証明書とは発行ＩＤだけが異なることになる。ステップ４１３における判定が「有効」の場合は，記入コードテーブル１１５を参照して，該当する発行ＩＤに対する記入コードを，ステップ４０５における送信先の証明書印刷部１２６に送信する（ステップ４１４）。
【００３７】
ここでは，発行ＩＤが「１２５」の１枚の身分証明書が新たに作成され，今度は正しく印刷できたものとする。また，発行ＩＤ「１２３」および「１２５」に対する記入コードをそれぞれ「７９４」および「２０６」として送信する。
【００３８】
証明書印刷部１２６は，この記入コードを受信する（ステップ４１５）と，受信した記入コードを表示装置１２３に表示する（ステップ４１６）。記入コードの表示は，図８に示す記入コード出力画面のように，申請枚数分をまとめて表示するようにしてもよい。
【００３９】
申請者は，ステップ４１６で表示された記入コードを，対応する発行ＩＤの証明書にボールペン等の筆記用具で記入する。図９はその記入例である。発行ＩＤが「１２３」の紙の身分証明書５０１に，対応する記入コード「７９４」を記入し，正しく用をなす身分証明書９０１とすることができる。
【００４０】
発行者は，証明書発行履歴テーブル１１６を参照して，印刷結果が「有効」となっている枚数分の発行手数料を該当する申請者ＩＤの申請者から徴収すれば，申請枚数分の発行手数料を徴収することができる。
【００４１】
以後，証明書利用時の処理の流れを，図１０に示す証明書検証部１３４の動作を参照しつつ，説明する。
【００４２】
まず，申請者は，前述のようにして入手した証明書を，利用する場所に持参し，その証明書が発行手数料を払ったものか否かを検証する検証者に渡す。検証者は，渡された証明書に記載されている発行ＩＤと記入コードを，証明書検証装置１３１に対して，入力装置１３２のうちキーボードを用いて，入力する。ここでは，身分証明書９０１に記載された発行ＩＤ「１２３」および記入コード「７９４」を入力する。証明書検証部１３４は，前記発行ＩＤと前記記入コードを受け取る（ステップ１００１）と，受け取った発行ＩＤと記入コードの対応を記入コードテーブル１３５と比較し（ステップ１００２），その比較結果を出力装置１３３に出力する（ステップ１００３）。すなわち，発行ＩＤと記入コードの対応が合致したものが記入コードテーブル１３５にあれば，その証明書は発行手数料が支払われた対象であって有効である旨を出力し，合致したものがなければ，発行手数料が支払われていないものとしてその証明書は無効である旨を出力する。
【００４３】
上記では発行ＩＤと記入コードの２つを入力としたが，発行ＩＤを入力すると記入コードが出力，あるいは，記入コードを入力すると発行ＩＤが出力されて，この出力が一致していれば有効，一致していなければ無効と，検証者が判断する方法もあり得る。ただし，この方法は，証明書検証装置１３１があれば，任意の発行ＩＤに対応する記入コードがわかるので，利用環境を選ぶ必要がある。
【００４４】
また，上記では，発行ＩＤと記入コードの静的な対応を持つ記入コードテーブルを証明書発行装置１１１と証明書検証装置１３１であらかじめ共有しているが，発行ＩＤと記入コードの対応を動的に生成してもよい。例えば，暗号鍵を共有しておいて，入力が同じときは常に同じ出力になるような暗号技術を用いる。あるいは，入力を暗号化したものを復号化して，元の入力との対応を生成するような暗号技術を用いる等である。
【００４５】
また，１つの記入コードに対して発行ＩＤが複数対応していてもよいが，対応する発行ＩＤは少ないほうが，証明書が発行手数料を払ったものか否かを検証する信頼度が高いのは言うまでもない。
【００４６】
また，上記では，発行ＩＤが数字３桁，記入コードが数字３桁という簡単な例を示したが，証明書が発行手数料を払ったものか否かを検証する信頼度を高くするために，発行ＩＤや記入コードは，できるだけ文字種を多く，桁数を大きくするのが好ましい。
【００４７】
また，上記では，発行ＩＤや記入コードを，証明書検証装置１３１に対して，入力装置１３２のうちキーボードを用いて入力したが，もちろん他の入力装置を用いてもよい。例えば，スキャナを用いて，発行ＩＤや記入コードを読み取り，文字認識技術を用いて文字コード化する。あるいは，発行ＩＤをバーコードや２次元コード，特開２００５−２８６９６３号公報に記載のドットコードで表現して，スキャナやリーダで発行ＩＤを読み取ってもよい。要は，スキャンして発行ＩＤを自動認識できるものであれば，発行ＩＤは文字に限らない。この場合，ステップ４０７の印刷開始後，申請者が発行ＩＤを入力する際に，前記スキャナやリーダを使うことができる。
【００４８】
また，利用時に必要な情報を前記ドットコードとして証明書データに含める手段が証明書発行装置にあり，かつ，証明書に印刷された前記ドットコードを読み取る手段が証明書申請装置および証明書検証装置にあれば，発行ＩＤや記入コード，記入コードテーブルはなくてもよい。なぜならば，証明書申請装置で読み取った情報が，利用時に用をなすものであれば，証明書印刷部あるいは証明書発行部は印刷結果を有効とすればよいし，用をなさないものであれば，印刷結果を無効とすればよいからである。
【００４９】
また，上記では，記入コードの記入について，文字を手書きで記入する例を示したが，文字に対応するマークをマークシート形式で記入するようにしてもよい。
【００５０】
また，上記では，記入コード領域は証明書記載事項と同じ印刷面に存在したが，レイアウト上邪魔になるようであれば，記入コード領域は証明書記載事項とは反対の面に存在するようにしてもよい。
【００５１】
さらに，上記では，証明書利用時に証明書発行装置と証明書検証装置の間でデータのやりとりを行わなかったが，データのやりとりを行うことも考えられる。この場合の全体システム構成を図１１に示す。証明書発行装置１１１１と証明書検証装置１１３１がネットワーク１１０２を介して接続されており，各装置間でのデータ送受信が可能である。また，証明書発行装置１１１１と証明書申請装置１１２１がネットワーク１１０１を介して接続されており，各装置間でのデータ送受信が可能である。図１１においては，証明書申請装置１１２１，証明書検証装置１１３１はそれぞれ１つしか図示していないが，それぞれ複数あってもかまわない。
【００５２】
証明書申請装置１１２１における入力装置１１２２，表示装置１１２３，プリンタ１１２４，証明書申請部１１２５はそれぞれ，証明書申請装置１２１における入力装置１２２，表示装置１２３，プリンタ１２４，証明書申請部１２５と同様である。
【００５３】
証明書発行装置１１１１における証明書発行履歴テーブル１１１６は，証明書発行装置１１１における証明書発行履歴テーブル１１６と同様である。証明書検証装置１１３１における入力装置１１３２，出力装置１１３３はそれぞれ，証明書検証装置１３１における入力装置１３２，出力装置１３３と同様である。
【００５４】
証明書申請装置１１２１における証明書印刷部１１２６，証明書発行装置１１１１における証明書発行部１１１４，証明書検証装置１１３１における証明書検証部１１３４はそれぞれ，証明書印刷部１２６，証明書発行部１１４，証明書検証部１３４とほぼ同様であるが多少異なる部分があり，これについて以下に処理の流れの説明として示す。
【００５５】
証明書発行時の処理の流れを図１２に示す。ステップ１２０１からステップ１２１２まではそれぞれ，ステップ４０１からステップ４１２までと同様である。ステップ１２１３では，ステップ１２１０で記録した印刷結果が「有効」か「無効」かを判定し，「無効」の場合は，同じ申請者ＩＤ，同じ証明書種別，「無効」の枚数を必要枚数として，ステップ１２０４から繰り返す。このとき，「無効」となった証明書とは発行ＩＤだけが異なることになる。判定が「有効」の場合でも，記入コードの送信は行わず，処理を終了する。したがって，証明書も図１３に示す身分証明書１３０１のように記入コード領域がない。
【００５６】
証明書利用時の処理の流れを図１４に示す。検証者は，申請者から渡された証明書に記載されている発行ＩＤを，証明書検証装置１１３１に対して，入力装置１１３２を用いて入力する。証明書検証部１１３４は，前記発行ＩＤを受け取る（ステップ１４０１）と，受け取った発行ＩＤをあらかじめ決められた証明書発行装置１１１１の証明書発行部１１１４に証明書検証装置１１３１の識別子とともに送信する（ステップ１４０２）。証明書発行部１１１４は，この発行ＩＤを受信する（ステップ１４０３）と，受信した発行ＩＤをキーにして証明書発行履歴テーブル１１１６を参照し，印刷結果を検索する（ステップ１４０４）。
【００５７】
そして検索した印刷結果を，受信した証明書検証装置１１３１の識別子を基に，検証元の証明書検証装置１１３１の証明書検証部１１３４に送信する（ステップ１４０５）。証明書検証部１１３４は，この印刷結果を受信する（ステップ１４０６）と，受信した印刷結果を出力装置１１３３に出力する（ステップ１４０７）。検証者は，出力された印刷結果が「有効」の場合は，その証明書は発行手数料が支払われた対象であって有効であると判断でき，印刷結果が「無効」の場合は，発行手数料が支払われていないものとしてその証明書は無効であると判断できる。
【００５８】
＜実施形態２＞
本実施形態は，手書きの文字・図形データをデジタル化して所定の機器に送信できる電子ペンに対応した帳票を印刷する電子ペンシステムである。図１５に全体システム構成を示す。
【００５９】
まず，本電子ペンシステムで用いる電子ペン１５３１について説明する。電子ペン１５３１は，国際公開第０３／００１４４０号パンフレットに記載の技術で実現される。この技術では，ある特殊な電子ペンとドットパターンが印刷された印刷記録媒体とを用いることにより，電子ペンを使って印刷記録媒体上に書き込んだ文字・図形の軌跡をベクトル化して保存・送信できる。
【００６０】
図１７を用いてその仕組みについて説明する。印刷記録媒体１７０１にはドットパターン１７１０が印刷されている。ドットは一定間隔の格子ごとに印刷されているが，その位置は格子点から微妙にずれている。電子ペン１５３１では，ドットパターン１７１０の印刷面に発光ダイオード１７０２の光を射出して，内蔵カメラ１７０３によってこのドットパターン１７１０を読み取ることにより，電子ペン１５３１のペン先がドットパターン空間上のどの位置にあるか，その絶対座標を正確に特定することができる。また，ドットパターン空間はその管理を容易にするため用紙サイズの標準規格等の所定の大きさに区切られ，各区画に対してドットパターン固有識別子が割り当てられている。電子ペン１５３１は，読み取ったドットパターン１７１０のドットパターン固有識別子も出力する。
【００６１】
電子ペン１５３１はカメラ１７０３，インクカートリッジ１７０４，筆圧センサ１７０５，プロセッサ１７０６，メモリ１７０７，バッテリ１７０８，通信装置１７０９，ディスプレイ，振動装置，スピーカ等の出力装置１７１１を内蔵している。また，メモリ１７０７は，図１８に示す有効パターンテーブル１８０１を格納している。筆圧センサ１７０５が感圧しているときのみカメラ１７０３はドットパターンを読み取り，プロセッサ１７０６によってペン先の位置情報を取得する。すなわち印刷記録媒体１７０１に書き込まれた文字や図形の軌跡をデジタル化して取得する。このデジタル軌跡情報は時系列にメモリ１７０７に蓄積され，あるタイミングで通信装置１７０９により所定の機器に送信される。
【００６２】
電子ペン対応帳票発行装置１５１１と電子ペン対応帳票申請装置１５２１がネットワーク１５０１を介して接続されており，各装置間でのデータ送受信が可能である。電子ペン１５３１はネットワーク１５０１に接続されていない。図１５においては，電子ペン対応帳票申請装置１５２１，電子ペン１５３１はそれぞれ１つしか図示していないが，それぞれ複数あってもかまわない。
【００６３】
電子ペン対応帳票申請装置１５２１は，前記ドットパターンが含まれる電子ペン対応帳票の申請や印刷，電子ペン対応帳票発行装置１５１１とデータの送受信等を行うコンピュータ装置である。電子ペン対応帳票申請装置１５２１は，キーボード，マウス等の入力装置１５２２，ディスプレイ等の表示装置１５２３，プリンタ１５２４を有する。また，電子ペン対応帳票申請装置１５２１は，ＣＰＵ，メモリ，通信装置，記憶装置およびそれらの間のデータ通信等を制御する制御装置等を有し，記憶装置内のプログラムがＣＰＵに順次読み込まれて実行されることによりそれぞれの処理部としての役割を果たす２つの処理部が機能する。すなわち，電子ペン対応帳票の発行を要求する帳票申請データを作成して電子ペン対応帳票発行装置１５１１に送信する申請部１５２５，および交付された電子的な帳票データを印刷し，その印刷した紙を電子ペン対応帳票として有効にするために必要な記入コードを表示する印刷部１５２６が動作する。
【００６４】
電子ペン対応帳票発行装置１５１１は，電子ペン対応帳票の発行，電子ペン対応帳票申請装置１５２１とデータの送受信等を行うコンピュータ装置である。電子ペン対応帳票発行装置１５１１は，ＣＰＵ，メモリ，通信装置，記憶装置およびそれらの間のデータ通信等を制御する制御装置等を有し，記憶装置内のプログラムがＣＰＵに順次読み込まれて実行されることにより処理部としての役割を果たす１つの処理部が機能する。すなわち，帳票データおよび記入コードを発行する発行部１５１４が動作する。また，記憶装置は，発行履歴テーブル１５１６を格納している。
【００６５】
また，上述の各々の処理部を集積回路などのハードウェアとして構成することも可能である。
【００６６】
図１６は，発行履歴テーブル１５１６のデータ構成を示す図である。発行履歴テーブル１５１６は，電子ペン対応帳票申請装置１５２１を用いて電子ペン対応帳票の申請を行う申請者と，その申請者に対して電子ペン対応帳票発行装置１５１１が交付した電子的な帳票データに含まれる前記ドットパターンの固有識別子と，その帳票データの電子ペン対応帳票申請装置１５２１における印刷結果を，対応づけて管理するためのテーブルであり，申請者ＩＤとドットパターンＩＤと印刷結果を備える。申請者ＩＤは，申請者の固有識別子である。ドットパターンＩＤは，前記ドットパターン固有識別子である。印刷結果は，紙詰まりやインクが薄い等，あるいは，複数の紙がずれて重なったまま紙送りされることで生じる印刷エラーが発生せずに，正しく印刷できたときは「有効」，前記印刷エラーが発生したときは「無効」の値をとる。
【００６７】
図１８は，有効パターンテーブル１８０１のデータ構成を示す図である。有効パターンテーブル１８０１は，発行手数料が支払われた対象であって有効であると判定された電子ペン対応帳票に含まれるドットパターンのドットパターンＩＤを保持するためのテーブルである。
【００６８】
以後，電子ペン対応帳票発行時の処理の流れを，図１９に示す申請部１５２５，印刷部１５２６，発行部１５１４の動作を参照しつつ，説明する。
【００６９】
まず，申請者は，電子ペン対応帳票申請装置１５２１に対して，入力装置１５２２を用いて，申請先の電子ペン対応帳票発行装置，申請者ＩＤ，電子ペン対応帳票の必要枚数を入力する。ここでは，電子ペン対応帳票発行装置１５１１に対して，申請者ＩＤが「２０２０」の申請者が，電子ペン対応帳票を１枚申請するものとする。申請部１５２５は，前記申請者ＩＤ，前記必要枚数，および電子ペン対応帳票申請装置１５２１の識別子からなる帳票申請データを作成し（ステップ１９０１），申請者が指定した電子ペン対応帳票発行装置１５１１の発行部１５１４に送信する（ステップ１９０２）。
【００７０】
発行部１５１４は，この帳票申請データを受信する（ステップ１９０３）と，受信した申請者ＩＤ，必要枚数を基に，また，未使用のドットパターンＩＤのドットパターンを使って，電子的な帳票データを作成する（ステップ１９０４）。ドットパターンＩＤが未使用か否かは，例えば，発行履歴テーブル１５１６に存在しないドットパターンＩＤは未使用と判断できる。ここでは，ドットパターンＩＤが「５２８」の１枚の電子ペン対応帳票を作成する。
【００７１】
作成した電子ペン対応帳票を図２０に示す。この電子ペン対応帳票２００１には，記入コード領域２００２も付けられている。記入コード領域は，記入コードを申請者が記入する領域であり，この座標領域はあらかじめ電子ペン１５３１のメモリ１７０７に記録されている。発行部１５１４は，作成した帳票データを，受信した電子ペン対応帳票申請装置１５２１の識別子を基に，申請元の電子ペン対応帳票申請装置１５２１の印刷部１５２６に送信する（ステップ１９０５）。
【００７２】
印刷部１５２６は，この帳票データを受信する（ステップ１９０６）と，受信した帳票データを印刷する（ステップ１９０７）。なお，前記背景技術等を用いることにより，帳票データは１部しか印刷できないようになっている。印刷開始後，電子ペン対応帳票１枚１枚に対して，図６に示すような印刷結果を確認する画面を表示装置１５２３に表示する。申請者は，印刷物を見て，紙詰まりやインクが薄い等，あるいは，複数の紙がずれて重なったまま紙送りされることで生じる印刷エラーが発生せずに，正しく印刷できたと判断したときは「はい」のボタン６０１を，前記印刷エラーが発生したと判断したときは「いいえ」のボタン６０２を選択する。印刷部１５２６は，受信した帳票データの送信元の発行部１５１４に，選択されたボタンに応じて，印刷結果を送信する（ステップ１９０８）。「はい」のボタン６０１が選択された場合は，印刷結果を有効として送信する。「いいえ」のボタン６０２が選択された場合は，印刷結果を無効として送信する。
【００７３】
ステップ１９０９からステップ１９１３まではそれぞれ，ステップ４０９からステップ４１３までと同様である。証明書発行履歴テーブル１１６の代わりに発行履歴テーブル１５１６を用い，発行ＩＤの代わりにドットパターンＩＤを用いる点が異なるだけである。ここでは，ドットパターンＩＤが「５２８」の電子ペン対応帳票は正しく印刷できたものとする。
【００７４】
ステップ１９１４では，該当するドットパターンＩＤを記入コードとして，ステップ１９０５における送信先の印刷部１５２６に送信する。ここでは，記入コードを「５２８」として送信する。
【００７５】
印刷部１５２６は，この記入コードを受信する（ステップ１９１５）と，受信した記入コードを表示装置１５２３に順番に表示する（ステップ１９１６）。
【００７６】
発行者は，発行履歴テーブル１５１６を参照して，印刷結果が「有効」となっている枚数分の発行手数料を該当する申請者ＩＤの申請者から徴収すれば，申請枚数分の発行手数料を徴収することができる。
【００７７】
以後，電子ペン対応帳票利用時の処理の流れを，図２２に示す電子ペン１５３１の動作を参照しつつ，説明する。
【００７８】
まず，申請者は，前述のようにして入手した電子ペン対応帳票に，ステップ１９１６で表示された記入コードを，電子ペン１５３１で記入する。図２１はその記入例である。ドットパターンＩＤが「５２８」の紙の電子ペン対応帳票２００１に，対応する記入コード「５２８」を記入し，正しく用をなす電子ペン対応帳票２１０１とすることができる。
【００７９】
電子ペン１５３１は，前述の仕組みにより，座標データおよびドットパターンＩＤを取得する（ステップ２２０１）と，取得した座標データが記入コード領域内か否かを判定する（ステップ２２０２）。
【００８０】
ステップ２２０２で記入コード領域内と判定された場合，電子ペン１５３１で記入された内容は記入コードとみなし，文字認識技術を用いて文字コード化する（ステップ２２０３）。そして，この文字コード化された記入コードと，ステップ２２０１で取得したドットパターンＩＤが，一致するか否かを判定する（ステップ２２０４）。一致しない場合は，ステップ２２０１に戻り，一致する場合は，有効パターンテーブル１８０１にそのドットパターンＩＤを追加して（ステップ２２０５），ステップ２２０１に戻る。
【００８１】
ステップ２２０２で記入コード領域内ではないと判定された場合，ステップ２２０１で取得したドットパターンＩＤが，有効パターンテーブル１８０１にあるか否かを判定する（ステップ２２０６）。ある場合は，ステップ２２０１に戻り，ない場合は，警告を出力装置１７１１に出力して（ステップ２２０７），ステップ２２０１に戻る。警告の方法としては，発行手数料が支払われていないものとしてその電子ペン対応帳票は無効である旨のメッセージをディスプレイに表示する，振動装置が震える，スピーカからブザーを鳴らす，等がある。
【００８２】
以上により，記入コードが正しく電子ペンで記入されたときに限って，その電子ペン対応帳票に，電子化したい手書きの文字・図形を電子ペンで記入することができる。
【００８３】
なお，上記の電子ペン１５３１における処理は，その一部を，電子ペンとデータをやりとりできる図示しない装置で行ってもよい。
【００８４】
また，上記では，記入コードの記入について，文字を記入する例を示したが，文字に対応するマークをマークシート形式で記入するようにしてもよい。この場合，どの座標領域のマークがどの文字に対応しているかがあらかじめ電子ペンに記録されている。
【００８５】
また，上記では，記入コードとして，該当する電子ペン対応帳票に含まれるドットパターンのドットパターンＩＤを使ったが，実施形態１と同様に，ドットパターンＩＤと記入コードの対応を，静的に決めておく，あるいは，動的に生成してもよい。
【００８６】
また，上記では，電子ペンの利用者として，申請者を例にしたが，申請者とは別の者でもよい。
【００８７】
また，上記各実施形態を組み合わせて実施しても良い。例えば，実施形態２において，電子ペン対応帳票発行装置と電子ペンの間でデータのやりとりを行うことも，実施形態１と同様に考えられる。
【００８８】
上記印刷記録媒体は，プリンタ，スキャナ，筆記用具等が対応していれば，紙に限定されない。
【００８９】
以上により，紙に印刷すると価値のある電子データを発行する者と，その電子データを紙に印刷する者が異なる場合でも，前者は申請枚数に応じた発行手数料を課金することができるし，後者は申請枚数分の価値のある紙を確実に取得することができる。
【図面の簡単な説明】
【００９０】
【図１】第１の実施形態の電子交付システムの構成図のうち証明書検証装置がオフラインの場合の構成図である。
【図２】第１の実施形態の記入コードテーブルのデータ構成図である。
【図３】第１の実施形態の証明書発行履歴テーブルのデータ構成図である。
【図４】第１の実施形態の電子交付システムの証明書発行時の処理フロー図である。
【図５】第１の実施形態の記入コード記入前の証明書例を示す図である。
【図６】印刷結果確認画面例を示す図である。
【図７】第１の実施形態の発行ＩＤ入力画面例を示す図である。
【図８】第１の実施形態の記入コード出力画面例を示す図である。
【図９】第１の実施形態の記入コード記入後の証明書例を示す図である。
【図１０】第１の実施形態の電子交付システムの証明書利用時の処理フロー図である。
【図１１】第１の実施形態の電子交付システムの構成図のうち証明書検証装置がオンラインの場合の構成図である。
【図１２】第１の実施形態の証明書検証装置がオンラインの場合の電子交付システムの証明書発行時の処理フロー図である。
【図１３】第１の実施形態の証明書検証装置がオンラインの場合の証明書例を示す図である。
【図１４】第１の実施形態の証明書検証装置がオンラインの場合の電子交付システムの証明書利用時の処理フロー図である。
【図１５】第２の実施形態の電子ペンシステムの構成図である。
【図１６】第２の実施形態の発行履歴テーブルのデータ構成図である。
【図１７】電子ペンおよび用紙の仕組みを示す図である。
【図１８】第２の実施形態の有効パターンテーブルのデータ構成図である。
【図１９】第２の実施形態の電子ペンシステムの帳票発行時の処理フロー図である。
【図２０】第２の実施形態の記入コード記入前の帳票例を示す図である。
【図２１】第２の実施形態の記入コード記入後の帳票例を示す図である。
【図２２】第２の実施形態の電子ペンシステムの帳票利用時の処理フロー図である。
【符号の説明】
【００９１】
５０１：身分証明書，５０２：記入コード領域，５０３：偽造防止画像，６０１：ボタン，６０２：ボタン，７０１：発行ＩＤ入力領域，９０１：身分証明書，１３０１：身分証明書，１５３１：電子ペン，１７０１：印刷媒体，１７０２：発光ダイオード，１７０３：カメラ，１７０４：インクカートリッジ，１７０５：筆圧センサ，１７０６：プロセッサ，１７０７：メモリ，１７０８：バッテリ，１７０９：通信装置，１７１０：ドットパターン，１７１１：出力装置，２００１：電子ペン対応帳票，２００２：記入コード領域，２１０１：電子ペン対応帳票。
【図１】
2008027257.tif 000003
【図２】
2008027257.tif 000004
【図３】
2008027257.tif 000005
【図４】
2008027257.tif 000006
【図５】
2008027257.tif 000007
【図６】
2008027257.tif 000008
【図７】
2008027257.tif 000009
【図８】
2008027257.tif 000010
【図９】
2008027257.tif 000011
【図１０】
2008027257.tif 000012
【図１１】
2008027257.tif 000013
【図１２】
2008027257.tif 000014
【図１３】
2008027257.tif 000015
【図１４】
2008027257.tif 000016
【図１５】
2008027257.tif 000017
【図１６】
2008027257.tif 000018
【図１７】
2008027257.tif 000019
【図１８】
2008027257.tif 000020
【図１９】
2008027257.tif 000021
【図２０】
2008027257.tif 000022
【図２１】
2008027257.tif 000023
【図２２】
2008027257.tif 000024